(57)【要約】      （修正有）【課題】構造物としての形状の試行錯誤が可能で，最終構造物としての安定性を有する水槽内装飾用構造物を提供する。【解決手段】装飾用構造物１は，複数の不定形有体物２の組合わせからなっている。装飾用構造物１は，一の不定形有体物２を，他の不定形有体物２と連結するための可逆的連結機構３を備えている。そして，可逆的連結機構３を介して複数の不定形有体物２が連結されることにより，装飾用構造物１は一つの構造物として構築される。ここでは，構造物としての形状の試行錯誤を繰り返すことにより，形状の異なる複数の不定形有体物２から選択した３つの不定形有体物２を用いて，トンネル状の装飾用構造物１が構築されている。可逆的連結機構３は，不定形有体物２に直接穿設された１つ又は複数の円筒状の連結孔４と，当該連結孔４に嵌着される円柱棒状の連結用部材５と，を備えている。【選択図】図１
2018050543.tif 000002
【特許請求の範囲】
【請求項１】
複数の不定形有体物の組合わせからなる水槽内装飾用構造物であって，
一の前記不定形有体物を，他の前記不定形有体物と連結するための可逆的連結機構を備え，
前記可逆的連結機構を介して前記複数の不定形有体物が連結されることにより，一つの構造物として構築されることを特徴とする水槽内装飾用構造物。
【請求項２】
前記可逆的連結機構が，
前記不定形有体物に設けられた１つ又は複数の連結孔と，
前記連結孔に挿着される連結用部材と，
を備えていることを特徴とする請求項１に記載の水槽内装飾用構造物。
【請求項３】
前記不定形有体物として，自然石を含むことを特徴とする請求項１又は２に記載の水槽内装飾用構造物。
【請求項４】
前記自然石が，石灰石，木化石，溶岩石，山風石のいずれか又は複数から選択されることを特徴とする請求項３に記載の水槽内装飾用構造物。
【請求項５】
請求項１から４のいずれか１項に記載の水槽内装飾用構造物に用いられる不定形有体物。
【発明の詳細な説明】
【技術分野】
【０００１】
本発明は，水槽内に設置して用いられる水槽内装飾用構造物等に関する。
【背景技術】
【０００２】
観賞用の魚を飼う場合には，水槽で飼うのが通常である。水槽内においては，観賞する際の見栄えを良くすることや，魚の住処にすることなどを目的として，装飾用構造物を設置することがしばしばある。
かかる装飾用構造物としては，通常，珊瑚や石などが，ほとんどそのままの形で用いられることが多い（特許文献１）。また，最近では，耐水性の高いシリコン製などの接着剤により，石同士を接着させたものを，装飾用構造物として用いる技術も提案されている。
【先行技術文献】
【特許文献】
【０００３】
【特許文献１】特開２０１３−２４７９３７号公報
【発明の概要】
【発明が解決しようとする課題】
【０００４】
特許文献１のような種類の先行技術は，構造物をほとんどそのままの形で水槽内に設置する仕様となっており，手軽に使用できる点において有用である。
しかしながら，かかる先行技術は，予め構造物の形状が定められていることから，水槽内での形状のカスタマイズが容易にはできない点において，課題を有するものである。
【０００５】
一方，接着剤を用いる場合，部材の組合わせにより，構造物の形状に一定程度の自由度を持たせることができる点において，有用である。しかるに，かかる技術にも課題があることを，発明者は発見した。
すなわち，接着剤を用いる場合に部材として用いられる石などは，その形状が不定形であり，また，石同士の接着自体，完全には行えないことも多い。このことから，構造物として組んだときに安定性に欠けるという課題があった。加えて，接着剤で接着しているため，再度，組みなおして別の形状にすることなどが自由にできない点において課題を有するものであった。
【０００６】
これらのことから発明者は，部材を用いてある程度の形状の試行錯誤を自由に行うことが可能であり，その結果として，最終的な構造体として形状を確定させ，安定して水槽内に設置することが可能な水槽内装飾用構造物の開発に着手したものである。
【０００７】
上記事情を背景として，本発明では，構造物としての形状の試行錯誤が可能で，最終構造物としての安定性を有する水槽内装飾用構造物の開発を課題とする。
【課題を解決するための手段】
【０００８】
発明者は，鋭意研究の結果，石などの不定形有体物について，これに連結孔を設け，この連結孔に連結用部材を挿着することにより，不定形有体物同士を連結する水槽内装飾用構造物に想到し，発明を完成させたものである。
【０００９】
本発明は，以下の構成からなる。
本発明の第一の構成は，複数の不定形有体物の組合わせからなる水槽内装飾用構造物であって，
一の前記不定形有体物を，他の前記不定形有体物と連結するための可逆的連結機構を備え，
前記可逆的連結機構を介して前記複数の不定形有体物が連結されることにより，一つの構造物として構築されることを特徴とする水槽内装飾用構造物である。
【００１０】
本発明の第二の構成は，前記可逆的連結機構が，
前記不定形有体物に設けられた１つ又は複数の連結孔と，
前記連結孔に挿着される連結用部材と，
を備えていることを特徴とする第一の構成に記載の水槽内装飾用構造物である。
本発明の第三の構成は，前記不定形有体物として，自然石を含むことを特徴とする第一又は第二の構成に記載の水槽内装飾用構造物である。
本発明の第四の構成は，前記自然石が，石灰石，木化石，溶岩石，山風石のいずれか又は複数から選択されることを特徴とする第三の構成に記載の水槽内装飾用構造物である。
【００１１】
本発明の第五の構成は，第一から第四の構成に記載の水槽内装飾用構造物に用いられる不定形有体物である。
【発明の効果】
【００１２】
本発明により，構造物としての形状の試行錯誤が可能で，最終構造物としての安定性を有する水槽内装飾用構造物の提供が可能となった。
【図面の簡単な説明】
【００１３】
【図１】（ａ）は本発明の実施の形態１における水槽内装飾用構造物の構成部材である不定形有体物および連結部材を示す斜視図，（ｂ）は当該水槽内装飾用構造物を示す斜視図
【図２】本発明の実施の形態２における水槽内装飾用構造物の構成部材である不定形有体物および連結部材等を示す斜視図
【図３】本発明の実施の形態２における水槽内装飾用構造物を示す斜視図
【発明を実施するための形態】
【００１４】
以下，好適な実施の形態を用いて本発明をさらに具体的に説明する。但し，下記の実施の形態は本発明を具現化した例に過ぎず，本発明はこれに限定されるものではない。
【００１５】
＜＜I．水槽内装飾用構造物の概要＞＞
本発明の水槽内装飾用構造物は，複数の不定形有体物の組合わせからなり，一の不定形有体物を，他の不定形有体物と連結するための可逆的連結機構を備え，可逆的連結機構を介して前記複数の不定形有体物が連結されることにより，一つの構造物として構築されることを特徴とする。
すなわち，可逆的連結機構を備えた複数の不定形有体物について，これらを連結させ，様々な形状の水槽内装飾用構造物を試すことが可能となる。そして，かかる試行錯誤を繰り返し，最終的な形状を確定したうえで，水槽内装飾用構造物とすることができる。これにより，最終構造物としての安定性を有する水槽内装飾用構造物を実現することが可能となる。
加えて，模様替えや水槽の変更などの場合に，水槽内装飾用構造物について，再度，部材（不定形有体物）単位での分解を行い新たに組み合わせるなどして，最終的な水槽内装飾用構造物の形状を変更して対応することが可能となる。
【００１６】
不定形有体物は，それぞれの形状は定まっているものの，表面に不規則な凹凸や微細孔などを有しており，不定形有体物それぞれにおいて厳密な一致を得ない固体物として定義される。このような不定形有体物としては，典型的には，珊瑚や木材，自然石などを適度な形状ないし大きさに調整して用いればよい。
不定形有体物としては，自然石を用いることが好ましい。この好ましい構成によれば，水槽内の自然的景観創出に寄与することが可能となる。  このような自然石としては，例えば，石灰石，木化石，溶岩石，山風石などを挙げることができる。
【００１７】
本発明において，可逆的連結機構は，不定形有体物同士の連結および分解を可逆的に行いうる限り，特に限定されるものではなく，種々の機構のものを採用することができる。
可逆的連結機構は，典型的には，図１から図３に示すように，連結用部材と，当該連結用部材を挿着するために不定形有体物に直接穿設された連結孔と，を備えた機構とすればよい。また，不定形有体物同士の連結・分解時等に，不定形有体物に直接穿設された連結孔が破損しないよう，当該連結孔にプラスチック製の筒状体などを嵌入するようにしてもよい（図２，図３を参照）。
【００１８】
連結孔は，連結用部材が挿着可能であり，かつ，不定形有体物と比して目立たないような形状である限り，特に限定されるものではなく，種々の形状のものを採用することができる。また，連結孔は，１つの不定形有体物に対して，少なくとも１つ，必要に応じて複数設けることができる。
連結用部材は，連結孔に挿着可能である限り，特に限定されるものではなく，種々の形状のものを採用することができる。例えば，連結用部材は，図１に示すような円柱状の棒状部材であってもよく，また，図２，図３に示すような片ネジボルトや両ネジボルトであってもよい。
連結用部材が円柱状の棒状部材である場合には，連結孔は円筒状に形成され，連結用部材が連結孔あるいはプラスチック製の筒状体に嵌着される。一方，連結用部材が片ネジボルトや両ネジボルトである場合には，連結孔あるいはプラスチック製の筒状体に雌ネジが切られ，連結用部材が連結孔あるいはプラスチック製の筒状体に螺着される。
【００１９】
＜＜II．実施の形態＞＞
［実施の形態１］
まず，本発明の実施の形態１における水槽内装飾用構造物の構成について，図１を参照しながら説明する。
【００２０】
図１（ａ）は本発明の実施の形態１における水槽内装飾用構造物の構成部材である不定形有体物および連結部材を示す斜視図，図１（ｂ）は当該水槽内装飾用構造物を示す斜視図である。
【００２１】
図１（ｂ）に示すように，本実施の形態の水槽内装飾用構造物１は，複数の不定形有体物２の組合わせからなっている。
水槽内装飾用構造物１は，一の不定形有体物２を，他の不定形有体物２と連結するための可逆的連結機構３を備えている。そして，可逆的連結機構３を介して複数の不定形有体物２が連結されることにより，水槽内装飾用構造物１は一つの構造物として構築される。ここでは，構造物としての形状の試行錯誤を繰り返すことにより，形状の異なる複数の不定形有体物２から選択した３つの不定形有体物２を用いて，トンネル状の水槽内装飾用構造物１が構築されている。
【００２２】
図１（ａ）に示すように，可逆的連結機構３は，不定形有体物２に直接穿設された１つ又は複数の円筒状の連結孔４と，当該連結孔４に嵌着される円柱棒状の連結用部材５と，を備えている。ここで，連結用部材５は，一の不定形有体物２の連結孔４に略半分の長さ部分だけ嵌着され，残りの略半分の長さ部分は他の不定形有体物２の連結孔４に嵌着される。そして，これにより，不定形有体物２同士を強固に連結することができるので，最終的な構造体として形状を確定させ，安定して水槽内に設置することが可能な水槽内装飾用構造物１を実現することが可能となる。
一方，不定形有体物２あるいは連結用部材５を，連結孔４の軸方向に若干強く引っ張れば，不定形有体物２同士の連結を解除することができる。そして，これにより，模様替えや水槽の変更などの場合に，水槽内装飾用構造物１について，再度，部材（不定形有体物２）単位での分解を行い，形状を変更して対応することが可能となる。
【００２３】
以上のように，本実施の形態の水槽内装飾用構造物１の構成によれば，構造物としての形状の試行錯誤が可能で，最終構造物としての安定性を有する水槽内装飾用構造物を提供することが可能となる。
【００２４】
不定形有体物２としては，例えば，石灰石，木化石，溶岩石，山風石等の自然石が用いられている。このように不定形有体物２として自然石を用いれば，水槽内の自然的景観創出に寄与することが可能となる。
【００２５】
［実施の形態２］
次に，本発明の実施の形態２における水槽内装飾用構造物の構成について，図２，図３を参照しながら説明する。
【００２６】
図２は本発明の実施の形態２における水槽内装飾用構造物の構成部材である不定形有体物および連結部材等を示す斜視図，図３は当該水槽内装飾用構造物を示す斜視図である。
【００２７】
図３に示すように，本実施の形態の水槽内装飾用構造物６は，複数の不定形有体物７の組合わせからなっている。
水槽内装飾用構造物６は，一の不定形有体物７を，他の不定形有体物７と連結するための可逆的連結機構８を備えている。そして，可逆的連結機構８を介して複数の不定形有体物７が連結されることにより，水槽内装飾用構造物６は一つの構造物として構築される。ここでは，構造物としての形状の試行錯誤を繰り返すことにより，形状の異なる複数の不定形有体物７から選択した３つの不定形有体物７を用いて，トンネル状の水槽内装飾用構造物６が構築されている。
【００２８】
図２に示すように，可逆的連結機構８は，不定形有体物７に直接穿設された１つ又は複数の円筒状の連結孔９と，当該連結孔９に嵌入され，雌ネジが切られたプラスチック製の円筒体１０と，当該円筒体１０に螺着される両ネジボルトからなる連結用部材１１と，を備えている。ここで，連結用部材１１は，一の不定形有体物７の円筒体１０に半分の長さ部分だけ螺着され，残りの半分の長さ部分は他の不定形有体物７の円筒体１０に螺着される。そして，これにより，不定形有体物７同士を強固に連結することができるので，最終的な構造体として形状を確定させ，安定して水槽内に設置することが可能な水槽内装飾用構造物６を実現することが可能となる。
一方，不定形有体物７あるいは連結用部材１１を，ボルトが緩む方向に回せば，不定形有体物７同士の連結を解除することができる。そして，これにより，模様替えや水槽の変更などの場合に，水槽内装飾用構造物６について，再度，部材（不定形有体物７）単位での分解を行い，形状を変更して対応することが可能となる。
【００２９】
以上のように，本実施の形態の水槽内装飾用構造物６の構成によれば，構造物としての形状の試行錯誤が可能で，最終構造物としての安定性を有する水槽内装飾用構造物を提供することが可能となる。
【００３０】
不定形有体物７としては，例えば，石灰石，木化石，溶岩石，山風石等の自然石が用いられている。このように不定形有体物７として自然石を用いれば，水槽内の自然的景観創出に寄与することが可能となる。
【符号の説明】
【００３１】
１，６  水槽内装飾用構造物
２，７  不定形有体物
３，８  可逆的連結機構
４，９  連結孔
５，１１  連結用部材
１０  プラスチック製の筒状体
【図１】
2018050543.tif 000003
【図２】
2018050543.tif 000004
【図３】
2018050543.tif 000005